(57)【要約】      （修正有）【課題】側壁内に、商品を収納したままの状態で店頭陳列する際に壁面から外方に突出させることができる商品情報表示部を形成した紙製トレーを提供する。【解決手段】側壁上端の２点Ｐ１を起点として側壁内中央部まで対称形に延びている２本の不連続切断線と、該不連続切断線の中間部における対称位置の２点Ｐ２間を結ぶ仮想直線上の２点Ｐ３を起点とし、一方の点から他方の点に底板方向に膨らんで渡って舌片状部Ａ２を形成している切断線Ｍ２とによって、側壁から部分的に切り離し可能な表示部Ａと、該不連続切断線により表示部Ａを側壁から切り離した際に表示部Ａを側壁に接続支持する支持部Ｂとが側壁内に形成されていることを特徴とする表示部付紙製トレー。【選択図】図２
0003171745.tif 000002
【実用新案登録請求の範囲】
【請求項１】
底板から折り立てられる全側壁の少なくとも一つの側壁に、該側壁上端中心点から左右方向に等距離離れた２点を起点として側壁内中央部まで対称形に延びている２本の不連続切断線と、該２本の不連続切断線の中間部における対称位置の２点間を結ぶ仮想直線上の中心点から左右方向に等距離離れた２点間を起点とし、一方の点から他方の点に底板方向に膨らんで渡って舌片状部を形成している連続又は不連続の切断線とによって側壁から部分的に切り離し可能に形成されていて、該舌片状部と、前記対称形に側壁内に延びている２本の不連続切断線の間に挟まれて形成されている矩形状部とが一体である表示部と、
前記舌片状部を形成している連続又は不連続の切断線の左右両側方の側壁内において、前記仮想直線上に形成されている一方の折線と、前記対称形の２本の不連続切断線の先端間を結ぶ仮想直線上に形成されている他方の折線との間に挟まれた帯状部よりなり、前記全不連続切断線により前記表示部を側壁から切り離した際に該表示部を側壁に接続支持する支持部とを有していることを特徴とする、表示部付紙製トレー。
【請求項２】
前記表示部には、その上端側の両側部から外方に突出する係止部が形成されていることを特徴とする請求項１記載の表示部付紙製トレー。
【請求項３】
前記表示部における前記舌片状部は、前記支持部を形成している２本の折線間の幅と略同一幅であることを特徴とする（１）項又は（２）項に記載の表示部付紙製トレー。
【請求項４】
前記表示部における係止部は、前記対称形に延びている２本の不連続切断線を、側壁上端近傍において外側方向に突出する屈曲部を有する不連続切断線とすることによって、該不連続切断線を切り離した際に該屈曲部において表示部の矩形状部の両側部に突出する係止部として形成されており、
前記舌片状部を形成している連続又は不連続の切断線の２起点が位置する前記仮想直線の左右両方向の延長線上の側壁内に、前記２本の不連続切断線によって切り離される側縁を起点として側壁内を切り欠いて前記係止部を差込係止する差込孔が形成されていることを特徴とする請求項１〜３のいずれか１項に記載の表示部付紙製トレー。
【請求項５】
前記表示部における係止部は、前記矩形状部の上端が該矩形状部の左右の側壁部の上端より上方に突出している細幅突出部を有していて、該細幅突出部の両側部から側方に突出形成されている係止部よりなることを特徴とする請求項１〜３のいずれか１項に記載の表示部付紙製トレー。
【請求項６】
前記紙製トレーは、一枚の板紙又は段ボールから形成されているブランクシートの底板から全側壁を折り立てて形成されているノンステープルタイプの矩形トレーであることを特徴とする請求項１〜５のいずれか１項に記載の表示部付紙製トレー。
【請求項７】
前記紙製トレーは、スタッキングトレーであることを特徴とする請求項１〜６のいずれか１項に記載の表示部付紙製トレー。
【請求項８】
一枚の紙製ブランクシートの底板から折線により折り立てられる一対の側壁の両側縁には、折線を介して、側縁側上端部に差込片が突出形成されている折込板が連設されていると共に、両側壁の少なくとも一方には、側壁から切り離し可能な前記表示部と該表示部を側壁に接続支持する支持部とが形成されており、
一枚の紙製ブランクシートの底板から折線により折り立てられる一対の端壁の上端には、折線を介して細幅天面フラップが連設され、該折線上には、前記両側壁の折込板における差込片に対応する差込孔が形成され、底板と端壁間の前記折線上には、他の同一構造のブランクシートから組み立てられたトレーにおいて、その両側壁の折込板の差込片を両端壁の折線上に形成されている差込孔に差し込んだ状態で該差込孔から上方に突出する差込片の上部と嵌合するスタッキング用差込孔が前記底板と端壁間の折線上に形成されており、
前記両側壁の折込板を両端壁の内側に折り込み、折込板の差込片を端壁の前記細幅天面フラップとの間の折線上に形成されている差込孔に差込係合して組み立てられることを特徴とする請求項１〜７のいずれか１項に記載の表示部付紙製トレー。
【請求項９】
一枚の紙製ブランクシートの底板から折線により折り立てられる一対の側壁の両側部には折線を介して折込板が連設されていると共に、該両側壁の少なくとも一方には、前記請求項５に記載の側壁から切り離し可能な表示部と該表示部を側壁に接続支持する支持部とが形成されており、
底板から折線により折り立てられる一対の端壁の上端部には、折線を介して細幅天面板が連設され、該細幅天面板の両側部には折線を介して押え板が連設され、該押え板にはさらに折線を介して差込片が連設されており、
前記底板と側壁間の折線上には、前記両端壁の押え板の差込片と係合する差込孔が形成されており、
前記両側壁と両端壁を底板から折り立てて側壁の折込板を両端壁の内側に折り込んだ状態で、前記両端壁の細幅天面板を天面上に折り曲げ、さらに、前記押え板を両側壁の外面に折り重ね、その先端の差込片を側壁と底板の間の折線上の差込孔に差込係合して組み立てられることを特徴とする請求項１から７のいずれか１項に記載の表示部付紙製トレー。
【考案の詳細な説明】
【技術分野】
【０００１】
本考案は、商品の保管・輸送及び店頭陳列に兼用可能な紙製トレーに関する。特に、本考案は、店頭陳列に際してトレー側壁の一部により形成される表示部を側壁外方に傾斜板として突出形成できる、商品広告媒体として使用できる表示部付紙製トレーに関する。
【背景技術】
【０００２】
店頭に陳列する場合、販売店が推奨したい商品に関する販売店側の個性的な情報を消費者に提供して購買意欲を促進させることを目的として、トレー陳列場所に、商品名、価格、キャッチコピーや説明文、イラスト等の商品内容を消費者にアピールする情報を書き込んだ表示パネル（ＰＯＰ：Ｐｏｉｎｔ  ｏｆ  Ｐｕｒｃｈａｓｅ  Ａｄｖｅｒｔｉｓｉｎｇ）等を設置することが行われる。
【０００３】
野菜や果物を板紙や段ボール紙のトレーに収納した状態で保管・輸送し、店頭にそのまま陳列する場合にも、消費者の購買意欲をそそるような販売店側の商品情報（産地、価格、品質等）を書き込んだパネルを陳列トレー近辺に配置することや、情報入力紙片をトレー外面に貼付したり、トレー外面に情報を手書きしたりすることが行われている。
【０００４】
野菜や果物を収納した状態で輸送し、店頭にそのまま陳列する板紙や段ボール紙のトレーの場合、上記のような商品情報等の表示部を有するトレーとしては、トレー本体内に情報を表示する別体の表示体を着脱自在に取り付けることができる表示体取付部を設けたもの（特許文献１）や、一対の端壁部の一方又は双方の端壁の上縁に折曲線を介して、外面に輸送時に必要な情報を印刷した第１表示部を連設し、該第１表示部にさらに折曲線を介して外面に商品の展示販売時に必要な情報を印刷した第２表示部を連設し、第１表示部と第２表示部の内面同士が対面するように折り重ねた状態で端壁部上縁からトレー天面上に折り曲げて輸送時に必要な情報を天面上面に表示して輸送し、店頭で展示販売する際には、第１表示部と第２表示部を折り重ねた状態のままトレー天面から引き起こして端壁上縁から外方に第２表示部の外面の展示情報印刷面が表面となるように突出させる形式のトレー（特許文献２）等が提案されている。
【０００５】
上記特許文献１の形式のトレーは、トレー構造部材とは別体の情報表示用部材を必要とするものであるし、特許文献２の形式のトレーは、商品収納に必要な構造部以外に情報表示部を形成する部分を増設したトレー構造部材を必要とするものである。特許文献２に記載されているトレーと同様に、一対の端壁に情報表示部となるフラップを連接した形式の表示機能付きラップラウンドケース（特許文献３）や、ディスプレー機能付きカートン（特許文献４）も提案されているが、特許文献２と同様に、商品収納に必要なトレー構造部以外に情報表示部を形成する部分を増設したトレー構造部材を必要とするものである。
【先行技術文献】
【特許文献】
【０００６】
【特許文献１】実用新案登録番号第３０３４００５号公報
【特許文献２】特開２００９−１７３３３０号公報
【特許文献３】特開２００８−２９７００３号公報
【特許文献４】特開２００９−１４３６０３号公報
【考案の概要】
【考案が解決しようとする課題】
【０００７】
本考案は、商品の保管・輸送及び店頭陳列に兼用可能な矩形トレーであって、その少なくとも一つの端壁及び／又は側壁内に、商品を収納したままの状態で店頭陳列する際に壁面から切り離して外方に突出させることができる商品情報表示部を形成した紙製トレーを提供することを目的とするものである。
【課題を解決するための手段】
【０００８】
本考案は、以下に規定される構造の表示板形成部を側壁に有する紙製トレーに関する各考案を包含する。
【０００９】
（１）底板から折り立てられる全側壁の少なくとも一つの側壁に、該側壁上端中心点から左右方向に等距離離れた２点（Ｐ１，Ｐ１）を起点として側壁内中央部まで対称形に延びている２本の不連続切断線（Ｍ１，Ｍ１）と、該２本の不連続切断線の中間部における対称位置の２点（Ｐ２，Ｐ２）間を結ぶ仮想直線(ｘ)上の中心点から左右方向に等距離離れた２点（Ｐ３，Ｐ３）間を起点とし、一方の点から他方の点に底板方向に膨らんで渡って舌片状部（Ａ２）を形成している連続又は不連続の切断線（Ｍ２）とによって側壁から部分的に切り離し可能に形成されていて、該舌片状部（Ａ２）と、前記対称形に側壁（３）内に延びている２本の不連続切断線（Ｍ１，Ｍ１）の間に挟まれて形成されている矩形状部（Ａ１）とが一体である表示部（Ａ）と、
前記舌片状部（Ａ２）を形成している切断線（Ｍ２）の左右両側方の側壁内におおける前記２本の不連続切断線の中間部における対称位置の２点（Ｐ２，Ｐ２）間を結ぶ仮想直線(ｘ)上に形成されている一方の折線（Ｍａ，Ｍａ）と、前記対称形の２本の不連続切断線（Ｍ１，Ｍ１）の側壁内の両先端（Ｐ４，Ｐ４）間を結ぶ仮想直線（ｙ）上に形成されている他方の折線(Ｍｂ，Ｍｂ)との間に挟まれた帯状部よりなり、前記全切断線により前記矩形状部（Ａ１）と舌片状部（Ａ２）からなる表示部（Ａ）を側壁から切り離した際に該表示部（Ａ）を側壁に接続支持する支持部（Ｂ）とを有していることを特徴とする、表示部付紙製トレー。
【００１０】
（２）前記表示部（Ａ）には、その上端側の両側部から外方に突出する係止部（Ｃ）が形成されていることを特徴とする（１）項に記載の表示部付紙製トレー。
【００１１】
（３）前記表示部（Ａ）における前記舌片状部（Ａ２）は、前記支持部（Ｂ）を形成している２本の折線間の幅と略同一幅であることを特徴とする（１）項又は（２）項に記載の表示部付紙製トレー。
【００１２】
（４）前記表示部（Ａ）における係止部（Ｃ）は、前記対称形に延びている２本の不連続切断線（Ｍ１，Ｍ１）を、側壁上端近傍において外側方向に突出する屈曲部を有する不連続切断線とすることによって、該不連続切断線を切り離した際に該屈曲部において表示部（Ａ）の矩形状部（Ａ１）の両側部に突出する係止部（Ｃ）として形成されており、
前記舌片状部（Ａ２）を形成している切断線（Ｍ２）の前記２起点（Ｐ３，Ｐ３）間を結ぶ前記仮想直線（ｘ）の左右両方向の延長線上の側壁内に、前記２本の不連続切断線（Ｍ１，Ｍ１）によって切り離される側縁を起点として側壁（３）内を切り欠いて前記係止部（Ｃ）を差込係止する差込孔（Ｄ）が形成されていることを特徴とする（１）項〜（３）項のいずれか１項に記載の表示部付紙製トレー。
【００１３】
（５）前記表示部（Ａ）における係止部（Ｃ）は、前記矩形状部（Ａ１）の上端が該矩形状部（Ａ１）の左右の側壁部の上端より上方に突出している細幅突出部（Ｅ）を有していて、該細幅突出部（Ｅ）の両側部から側方に突出形成されている係止部（Ｃ）よりなることを特徴とする（１）項〜（３）項のいずれか１項に記載の表示部付紙製トレー。
【００１４】
（６）前記表示部付紙製トレーは、一枚の板紙又は段ボールから形成されているブランクシートの底板から全側壁を折り立てて形成されているノンステープルタイプの矩形トレーであることを特徴とする（１）項〜（５）項のいずれか１項に記載の表示部付紙製トレー。
【００１５】
（７）前記表示部付紙製トレーは、スタッキングトレーであることを特徴とする（１）項〜（６）項のいずれか１項に記載の表示部付紙製トレー。
【００１６】
（８）一枚の紙製ブランクシートの底板（２）から折線（Ｌ１）により折り立てられる一対の側壁（３，３）の両側部には、折線（Ｌ４）を介して、側部の上端側に差込片（７）が突出形成されている折込板（５，５）が連設されていると共に、両側壁（３，３）の少なくとも一方には、側壁から切り離し可能な前記表示部（Ａ）と該表示部（Ａ）を側壁に接続支持する支持部（Ｂ）とが形成されており、
一枚の紙製ブランクシートの底板（２）から折線（Ｌ２）により折り立てられる一対の端壁（４，４）の上端には、折線（Ｌ３）を介して細幅天面フラップ（６）が連設され、該折線（Ｌ３）上には、前記両側壁（３，３）の折込板（５，５）における差込片（７,７）に対応する差込孔（８，８）が形成され、底板（２）と端壁（４）間の前記折線（Ｌ２，Ｌ２）上には、他の同一構造のブランクシートから組み立てられたトレーにおいて、その両側壁（３，３）の折込板（５，５）の差込片（７，７）を両端壁（４，４）の折線（Ｌ３，Ｌ３）上に形成されている差込孔（８，８）に差し込んだ状態で該差込孔（８，８）から上方に突出する差込片（７，７）の上部と嵌合するスタッキング用差込孔（９，９）が前記底板（２）と端壁（４）間の折線（Ｌ２，Ｌ２）上に形成されており、
前記両側壁（３，３）の折込板（５）を両端壁（４，４）の内側に折り込み、折込板（５）の差込片（７，７）を端壁（４，４）の前記細幅天面フラップ（６）との間の折線（Ｌ３）上に形成されている差込孔（８，８）に差込係合して組み立てられることを特徴とする（１）項〜（７）項のいずれか１項に記載の表示部付紙製トレー。
【００１７】
（９）一枚の紙製ブランクシートの底板（２）から折線（Ｌ１）により折り立てられる一対の側壁（３，３）の両側部には折線（Ｌ４）を介して折込板（５，５）が連設されていると共に、該両側壁（３，３）の少なくとも一方には、前記（５）項に記載の側壁から切り離し可能な表示部（Ａ）と該表示部（Ａ）を側壁に接続支持する支持部（Ｂ）とが形成されており、
底板（２）から折線（Ｌ２）により折り立てられる一対の端壁（４，４）の上端部には、折線（Ｌ３）を介して細幅天面板（１０）が連設され、該細幅天面板の両側部には折線（Ｌ５）を介して押え板（１１）が連設され、該押え板（１１）にはさらに折線（Ｌ６）を介して差込片（１２）が連設されており、
前記底板（２）と側壁（３）間の折線（Ｌ１）上には、前記両端壁（４，４）の押え板（１１，１１）の差込片（１２，１２）と係合する差込孔（１３，１３）が形成されており、
前記両側壁（３，３）と両端壁（４，４）を底板（２）から折り立てて側壁（３）の折込板（５）を両端壁（４，４）の内側に折り込んだ状態で、前記両端壁（４）の細幅天面板（１０）を天面上に折り曲げ、さらに、前記押え板（１１）を両側壁の外面に折り重ね、その先端の差込片（１２）を側壁（３）と底板（２）の間の折線（Ｌ１）上の差込孔（１３）に差込係合して組み立てられることを特徴とする（１）項〜（７）項のいずれか１項に記載の表示部付紙製トレー。
【考案の効果】
【００１８】
本考案の表示部付紙製トレーは、表示部Ａが形成されている側壁が、商品を収容し、運搬する際には本来の側壁として収容商品保護機能を果たし、販売店で陳列する際には商品を収容したままで陳列できることに加えて、その表示部Ａを有する側面の切断線を切り離し、表示部Ａにおける矩形状部Ａ１及び舌片状部Ａ２を側壁外に突出させた状態で、矩形状部Ａ１の側縁を切り離した後に残る側壁内切断縁に前記矩形状部の両側部を引っ掛けて係止したり、側壁内切断縁から側壁内を切り欠いて形成されている差込孔に係止部を差し込み係止するだけで、底板側の舌片状部Ａ２が側壁から大きく突出した状態で帯状支持部（Ｂ）により側壁に支持されていて、天面側の前記矩形状部Ａ１の側部が側壁の表示部Ａを切り離した後の切断縁に係止されている傾斜状態の表示部を形成できるので、該表示部をＰＯＰ用として有効に利用することができる。
また、該表示部Ａは、トレーの一側壁部材だけで形成されていて表示部のための別部材を必要とないので、ＰＯＰ用の表示部が求められる幅広い商品用のトレーとして利用可能である。
【図面の簡単な説明】
【００１９】
【図１】本考案の表示部付紙製トレーの展開図（ブランクシート）である。
【図２】本図１のブランクシートから組み立てられた表示部付紙製トレーの完成状態を示す斜視図である。
【図３】図２の完成状態の表示部付紙製トレーの側壁に表示部を形成する途中状態を示す図である。
【図４】図３に引き続く表示部を完成させた状態の側壁部分をトレー内面側から見た図である。
【図５】図４の表示部を完成させた紙製トレー全体を示す斜視図である。
【図６】図１〜図５とは異なる本考案の表示部付紙製トレーの展開図（ブランクシート）である。
【図７】図６のブランクシートから組み立てた表示部付紙製トレーの完成状態を示す斜視図である。
【図８】図７の完成された表示部付紙製トレー全体を示す斜視図である。
【考案を実施するための形態】
【００２０】
本考案の表示部付紙製トレーは、一枚の段ボールや板紙を打ち抜いて形成されているブランクシートから折り立てられるトレーであり、図１や図５に示されるように、側壁内を不連続又は連続の切断線より部分的に切り離し、組み立てて表示部乃至表示板を形成することができるトレーである。
以下、図面を参照して本考案の表示部付トレーを具体的に説明する。
【００２１】
図１や図６に示される一枚のブランクシートから折り立てられる本考案の表示部付紙製トレーは、一枚の段ボールシートや板紙シートにより形成されている。
【００２２】
図１において、符号２は底板、３は一対の側壁、４は一対の端壁、５は一対の側壁４のそれぞれの両側部に連設されている折り込み板、６は一対の端壁４に連設されている細幅天面フラップ、７は折込板５に突設されている差込片、８は差込片７を差し込み係合する差込孔、９はスタッキング用差込孔、Ａは表示部、Ａ１は表示部Ａにおける矩形状部、Ａ２は表示部Ａにおける舌片状部、Ｂは表示部Ａを側壁３に支持する支持部、Ｃは表示部Ａの矩形状部Ａ１の両側部に突設されている係止部、Ｄは該係止部Ｃを差込係止する差込孔、Ｌ１〜Ｌ４は折線、Ｍ１、Ｍ２は切り離し用の切断線、ｘ、ｙは仮想直線、Ｍａ，Ｍｂは仮想直線ｘ、ｙ上に形成されている折線、Ｐ１〜Ｐ４は不連続又は連続の切断線の起点、中間点又は先端部をそれぞれ意味する。
【００２３】
図１のブランクシートから図２の完成トレーを組み立てる手順を説明する。
先ず、段ボールや板紙から形成されている図１のブランクシート１において、一対の側壁３，３と一対の端壁４，４を底板２から折線Ｌ１及びＬ２より折り立て、一対の側壁３，３の両側部に連設されている折込板５，５を端壁４，４の内側に折り込み、端壁４，４の細幅天面板６を折線Ｌ３よりトレー天面側に直角に折り曲げ、各折線Ｌ３上に形成されている差込孔８，８に側壁３の折り込み板５，５の差込片７,７を差し込み係合して一対の側壁と一対の端壁を固定して、一対の端壁４，４の上端から天面を前記細幅天面板６で部分的に覆っている、図２に示される紙製トレーを完成させる。
【００２４】
上記のように組み立てられた紙製トレーは、商品を収容した状態で輸送され、販売店の店頭に商品収容状態で陳列される際に、先ず、図３に示すように、側壁４に形成されている不連続切断線Ｍ１と連続又は不連続の切断線Ｍ２を切り離して矩形状部Ａ１と舌片状部Ａ２を有する表示部Ａを形成する。
次いで、折線Ｍｂにおいて表示部Ａ全体を外側に直角に折り曲げ（図３）、さらに、折線Ｍａより表示部Ａを側壁３方向に折り返して矩形状部Ａ１の両側部の係止部Ｃを側壁３の差込孔Ｄに差し込んで係止する（図４）。
【００２５】
上記手順に従って切り離され、側壁外方に突出して形成されている表示部Ａは、図４に示されるように、底部側が支持部Ｂによって側壁３に支持され、上端側は係止部Ｃを差込孔Ｄに係合することによって支持されている板状体であり、図５に示されるように、トレーの側壁外方に傾斜状態で突き出ていることから、該表示部Ａ表面に陳列商品に関する各種情報を販売店が直接トレーに付与することができるし、トレーを積み重ねて陳列する場合にも側壁面の情報付与部が傾斜状態で側壁外方に突出しているので、購買者の目線の高さの違いによる読み取り難さのない陳列が可能である。
【００２６】
図６〜図８は、図１〜図５のトレーと同様に側壁部に傾斜状態で突出させることができる表示部Ａを形成したトレーであるが、図１〜図５のトレーとは異なる組み立て構造の紙製トレーを示している。
以下、図６のブランクシートから図８に全体図が示されている紙製トレーを組み立てる手順について説明する。
【００２７】
図６のブランクシートにおいて、図１のブランクシートと同一部位については同一符号が付されている。
図６のブランクシートの場合は、図１における端壁４の細幅天面板６に相当する細幅天面板１０を有しているが、その両側部には押え板１１が連設されており、該押え板１１には折線Ｌ６を介して差込片１２が連設されている。
また、側壁３に形成されている表示部Ａにおける矩形状部Ａ１は、その上端側が細幅突出部Ｅを有している矩形状部として形成されている。
図６のブランクシートから図７のトレーを組み立てて、さらに該図７のトレーの側壁に表示部Ａを形成した図８のトレーを形成する手順について説明する。
【００２８】
先ず、図６のブランクシート１から、一対の側壁３，３と一対の端壁４，４を底板２から折線Ｌ１及びＬ２より折り立て、一対の側壁３，３の両側部に連設されている折込板５，５を端壁４，４の内側に折り込む。次いで、細幅天面板１０を折線Ｌ３よりトレー天面側に直角に折り曲げるとともに、細幅天面板１０に連設されている押え板１１を側壁３の外面を覆うように折線Ｌ５から下方に直角に折り曲げ、先端の差込片１２を折線Ｌ６から直角に折り曲げながら側壁３と底板２間の折線Ｌ１上に形成されている差込孔１３にトレー外からトレー内に差し込み係合することにより、側壁３をその外面側から押え板１１で押え付けた状態で固定する。このようにして底板２から折り立てた側壁３と端壁４を組み合わせ固定して図７に示す紙製トレーを完成する。
【００２９】
図７の紙製トレーは、収容商品の店頭陳列に先立って、先ず、側壁４に形成されている不連続切断線Ｍ１と連続又は不連続の切断線Ｍ２を切り離して矩形状部Ａ１と舌片状部Ａ２を有する表示部Ａを形成する。
次いで、切り離した表示部Ａは、折線Ｍｂにおいて表示部Ａ全体が外側に直角に折り曲げられた後、折線Ｍａより表示部Ａ全体を側壁３方向に折り返えされ、その状態で、矩形状部Ａ１の細幅突出部Ｅの両側部の突出部１２を、不連続切断線Ｍ１を切り離したことによって形成されている側壁内の切断縁と接触させた状態でトレー内方向に差し込み、該突出部を該切断縁部に引っ掛けることによって前記細幅突出部Ｅが側壁３に係止されて、図８に示されているように、傾斜状に側壁３から外方に突出している表示部Ａとされる。
【産業上の利用可能性】
【００３０】
本考案の表示部付紙製トレーは、表示部Ａが形成されている側壁板が、商品を収容し、運搬する際には本来の側壁板として収容商品保護機能を果たし、販売店で陳列する際には商品を収容したままで陳列できるのみならず、その表示部Ａを有する側面自体を不連続切断線によって切断するだけで、底板側が大きく突出した状態で帯状の支持部（Ｂ）により側壁板に支持されていて、天面側が側壁に直接係止されている傾斜状態の表示部を形成できるので商品収容状態で積み重ね陳列することが求められる多種多様な商品用のトレーとして利用可能である。
【符号の説明】
【００３１】
１：ブランクシート
２：底板
３：側壁
４：端壁
５：折込板
６：細幅天面板
７：差込片
８：差込孔
９：スタッキング用差込孔
１０：細幅天面板
１１：押え板
１２：差込片
１３：差込孔
Ａ：表示部
Ａ１：矩形状部
Ａ２：舌片状部
Ｂ：支持部
Ｃ：係止部
Ｄ：差込孔
Ｅ：細幅突出部
Ｌ１〜Ｌ５：折線
Ｍ１：不連続切断線
Ｍ２：連続又は不連続の切断線
Ｍａ，Ｍｂ：仮想直線
Ｐ１〜Ｐ４：連続又は不連続の切断線の起点、中間点、先端部
ｘ、ｙ：仮想直線
【図１】
0003171745.tif 000003
【図２】
0003171745.tif 000004
【図３】
0003171745.tif 000005
【図４】
0003171745.tif 000006
【図５】
0003171745.tif 000007
【図６】
0003171745.tif 000008
【図７】
0003171745.tif 000009
【図８】
0003171745.tif 000010
【手続補正書】
【提出日】平成23年9月15日(2011.9.15)
【手続補正１】
【補正対象書類名】実用新案登録請求の範囲
【補正対象項目名】全文
【補正方法】変更
【補正の内容】
【実用新案登録請求の範囲】
【請求項１】
底板から折り立てられる全側壁の少なくとも一つの側壁に、該側壁上端中心点から左右方向に等距離離れた２点を起点として側壁内中央部まで対称形に延びている２本の不連続切断線と、該２本の不連続切断線の中間部における対称位置の２点間を結ぶ仮想直線上の中心点から左右方向に等距離離れた２点間を起点とし、一方の点から他方の点に底板方向に膨らんで渡って舌片状部を形成している連続又は不連続の切断線とによって側壁から部分的に切り離し可能に形成されていて、該舌片状部と、前記対称形に側壁内に延びている２本の不連続切断線の間に挟まれて形成されている矩形状部とが一体である表示部と、
前記舌片状部を形成している連続又は不連続の切断線の左右両側方の側壁内において、前記仮想直線上に形成されている一方の折線と、前記対称形の２本の不連続切断線の先端間を結ぶ仮想直線上に形成されている他方の折線との間に挟まれた帯状部よりなり、前記全不連続切断線により前記表示部を側壁から切り離した際に該表示部を側壁に接続支持する支持部とを有していることを特徴とする、表示部付紙製トレー。
【請求項２】
前記表示部には、その上端側の両側部から外方に突出する係止部が形成されていることを特徴とする請求項１記載の表示部付紙製トレー。
【請求項３】
前記表示部における前記舌片状部は、前記支持部を形成している２本の折線間の幅と略同一幅であることを特徴とする請求項１又は２に記載の表示部付紙製トレー。
【請求項４】
前記表示部における係止部は、前記対称形に延びている２本の不連続切断線を、側壁上端近傍において外側方向に突出する屈曲部を有する不連続切断線とすることによって、該不連続切断線を切り離した際に該屈曲部において表示部の矩形状部の両側部に突出する係止部として形成されており、
前記舌片状部を形成している連続又は不連続の切断線の２起点が位置する前記仮想直線の左右両方向の延長線上の側壁内に、前記２本の不連続切断線によって切り離される側縁を起点として側壁内を切り欠いて前記係止部を差込係止する差込孔が形成されていることを特徴とする請求項１〜３のいずれか１項に記載の表示部付紙製トレー。
【請求項５】
前記表示部における係止部は、前記矩形状部の上端が該矩形状部の左右の側壁部の上端より上方に突出している細幅突出部を有していて、該細幅突出部の両側部から側方に突出形成されている係止部よりなることを特徴とする請求項１〜３のいずれか１項に記載の表示部付紙製トレー。
【請求項６】
前記紙製トレーは、一枚の板紙又は段ボールから形成されているブランクシートの底板から全側壁を折り立てて形成されているノンステープルタイプの矩形トレーであることを特徴とする請求項１〜５のいずれか１項に記載の表示部付紙製トレー。
【請求項７】
前記紙製トレーは、スタッキングトレーであることを特徴とする請求項１〜６のいずれか１項に記載の表示部付紙製トレー。
【請求項８】
一枚の紙製ブランクシートの底板から折線により折り立てられる一対の側壁の両側縁には、折線を介して、側縁側上端部に差込片が突出形成されている折込板が連設されていると共に、両側壁の少なくとも一方には、側壁から切り離し可能な前記表示部と該表示部を側壁に接続支持する支持部とが形成されており、
一枚の紙製ブランクシートの底板から折線により折り立てられる一対の端壁の上端には、折線を介して細幅天面フラップが連設され、該折線上には、前記両側壁の折込板における差込片に対応する差込孔が形成され、底板と端壁間の前記折線上には、他の同一構造のブランクシートから組み立てられたトレーにおいて、その両側壁の折込板の差込片を両端壁の折線上に形成されている差込孔に差し込んだ状態で該差込孔から上方に突出する差込片の上部と嵌合するスタッキング用差込孔が前記底板と端壁間の折線上に形成されており、
前記両側壁の折込板を両端壁の内側に折り込み、折込板の差込片を端壁の前記細幅天面フラップとの間の折線上に形成されている差込孔に差込係合して組み立てられることを特徴とする請求項１〜７のいずれか１項に記載の表示部付紙製トレー。
【請求項９】
一枚の紙製ブランクシートの底板から折線により折り立てられる一対の側壁の両側部には折線を介して折込板が連設されていると共に、該両側壁の少なくとも一方には、前記請求項５に記載の側壁から切り離し可能な表示部と該表示部を側壁に接続支持する支持部とが形成されており、
底板から折線により折り立てられる一対の端壁の上端部には、折線を介して細幅天面板が連設され、該細幅天面板の両側部には折線を介して押え板が連設され、該押え板にはさらに折線を介して差込片が連設されており、
前記底板と側壁間の折線上には、前記両端壁の押え板の差込片と係合する差込孔が形成されており、
前記両側壁と両端壁を底板から折り立てて側壁の折込板を両端壁の内側に折り込んだ状態で、前記両端壁の細幅天面板を天面上に折り曲げ、さらに、前記押え板を両側壁の外面に折り重ね、その先端の差込片を側壁と底板の間の折線上の差込孔に差込係合して組み立てられることを特徴とする請求項５に記載の表示部付紙製トレー。
【手続補正２】
【補正対象書類名】明細書
【補正対象項目名】００１７
【補正方法】変更
【補正の内容】
【００１７】
（９）一枚の紙製ブランクシートの底板（２）から折線（Ｌ１）により折り立てられる一対の側壁(３，３)の両側部には、折線(Ｌ４)を介して折込板（５，５）が連設されていると共に、該両側壁（３，３）の少なくとも一方には、前記（５）項に記載の側壁から切り離し可能な表示部（Ａ）と該表示部（Ａ）を側壁に接続支持する支持部（Ｂ）とが形成されており、
底板（２）から折線(Ｌ２)により折り立てられる一対の端壁（４，４）の上端部には、折線(Ｌ３)を介して細幅天面板（１０）が連設され、該細幅天面板の両側部には折線（Ｌ５）を介して押え板（１１）が連設され、該押え板（１１）にはさらに折線（Ｌ６）を介して差込片（１２）が連設されており、
前記底板（２）と側壁（３）間の折線(Ｌ１)上には、前記両端壁（４，４）の押え板(１１，１１)の差込片(１２，１２)と係合する差込孔（１３，１３）が形成されており、
前記両側壁(３，３)と両端壁（４，４）を底板（２）から折り立てて側壁（３）の折込板（５）を両端壁(４，４)の内側に折り込んだ状態で、前記両端壁（４）の細幅天面板（１０）を天面上に折り曲げ、さらに、前記押え板（１１）を両側壁の外面に折り重ね、その先端の差込片（１２）を側壁(３)と底板（２）の間の折線（Ｌ１）上の差込孔（１３）に差込係合して組み立てられることを特徴とする（５）項に記載の表示部付紙製トレー。
【手続補正３】
【補正対象書類名】図面
【補正対象項目名】図６
【補正方法】変更
【補正の内容】
【図６】
0003171745.tif 000011